(57)【要約】【課題】画像表示の制御、演出に工夫を加えて、画像表示装置としての魅力を高めることができるようにする。【解決手段】画像表示装置（デジタルフォトフレーム）１０は、画像データを表示する表示手段１１と、表示する画像の中から人物の顔を検出する顔検出手段と、表示制御手段と、を含む制御手段１９と、を備える。顔検出手段が表示画像中の顔を検出したとき、顔領域Ｒを確定し、顔領域Ｒの中心座標（ｘ，ｙ）を求める。表示制御手段は、顔領域Ｒの中心座標（ｘ，ｙ）を中心として画像全体をズームアップしながら表示手段に画像を表示する。そして、画像をズームアップしている際に、顔輪郭Ｒが表示画面のフレームに達したとき、画像のズームアップを停止する。【選択図】図２
2010197710.tif 000002
【特許請求の範囲】
【請求項１】
画像データを表示する表示手段と、
画像の中から人物の顔を検出する顔検出手段と、
該顔検出手段が顔を検出したとき、検出した顔を中心として画像全体をズームアップしながら前記表示手段に画像を表示する表示制御手段と、を備えたことを特徴とする画像表示装置。
【請求項２】
前記表示制御手段は、画像をズームアップしている際に、顔の輪郭部分が表示画面のフレームに達したとき、画像のズームアップを停止することを特徴とする請求項１に記載の画像表示装置。
【請求項３】
画像データを表示することが可能な表示手段が画像表示装置の前面側に設けられ、前記画像データに対する各種操作が可能な複数の操作ボタンからなる操作手段が画像表示装置の背面側または側面側に設けられたことを特徴とする請求項１または請求項２に記載の画像表示装置。
【発明の詳細な説明】
【技術分野】
【０００１】
本発明は、デジタルカメラ等で撮影したデジタル静止画像データを表示する画像表示装置に関するものであり、特に、人物の画像が含まれる画像データを表示部に表示させる際に、ズーム時の表示が好適に行えるようにした画像表示装置に関するものである。
【背景技術】
【０００２】
近年、デジタルカメラや携帯電話で撮影したデジタル静止画像をメモリカードなどから取り込んで写真立てのように表示させたり、スライドショー機能により複数画像を切り替えて表示させたりすることによって、手軽にデジタル写真を日常的に楽しむことができるデジタルフォトフレームが普及し始めている。
【０００３】
このようなデジタルフォトフレームに関する従来例としては、例えば、下記の特許文献１（特開２００６−６５０３１号公報）に記載されている。この特許文献１に記載されている画像表示フレームは、操作部を裏蓋背面に、メモリカードスロットルを裏蓋の側面（厚み部分）に備え、操作部は、電源ボタン、切り替えボタンと、操作キーなどが裏蓋の裏面に配置されている。操作部を裏蓋に設けることにより、裏蓋内部に画像処理部、内部メモリ、リジッド基板、フレキシブル基板等が収められるため、フレームは細く、均一な太さにすることができるように構成されている。
【０００４】
一方、デジタルカメラの分野では、例えば、特許文献２（特開２００９−１０７７７号公報）、特許文献３（特開２００８−３００９８６号公報）に示されるように、人物を撮影する際に、被写体となる人物の顔を検出し、その顔にピントを自動的に合わせたり、人物の表情が良いタイミングで撮影したりする技術が開発されている。
【０００５】
上記特許文献２に開示された撮像装置の発明は、被写体像を撮像し画像信号を得る撮像部と、画像信号に基づく画像及び所定の指標を表示可能な表示部と、所定の操作入力を受け付ける操作入力部と、所定のモードに設定されている場合に、操作入力部により、オートフォーカスポイントが指定されたときは、顔検出機能により該オートフォーカスポイントに被写体の顔が位置しているか否かを検出し、該顔が位置していると検出した場合には、撮影制御切替機能により該検出した顔の位置に係るオートフォーカス、自動露光、オートホワイトバランスを実施するよう制御する制御部と、を備えたものである。
【０００６】
また、上記特許文献３に開示された画像処理装置の発明は、異なる複数のタイミングで被写体を撮像して得られた画像データを取得する取得手段と、前記取得手段により取得された複数の前記画像データのそれぞれにおいて、前記被写体の顔領域を検出する顔領域検出手段と、前記顔領域検出手段により検出された複数の前記顔領域のそれぞれから、前記被写体の顔の構成要素の形状に関する顔情報を抽出する顔情報抽出手段と、前記顔情報抽出手段により抽出された複数の前記顔情報から、前記被写体の顔の表情を推定するための基準となる基準顔情報を選択する顔情報選択手段と、前記顔情報選択手段により前記基準顔情報が選択された状態であるか否かを示す選択状態情報を前記被写体の画像と関連付けて報知する報知手段と、を備えたものである。
【先行技術文献】
【特許文献】
【０００７】
【特許文献１】特開２００６−６５０３１号公報
【特許文献２】特開２００９−１０７７７号公報
【特許文献３】特開２００８−３００９８６号公報
【発明の概要】
【発明が解決しようとする課題】
【０００８】
上記特許文献２や特許文献３に開示されたようなデジタルカメラを用いれば、人物を含む写真を好適に撮影することができる。
【０００９】
また、上記特許文献１に開示されたようなデジタルフォトフレームを用いれば、コンピュータがなくても、デジタルカメラや携帯電話で撮影した画像を表示して楽しむことができる。しかしながら、従来のデジタルフォトフレームは、画像表示演出にあまり考慮がなされておらず、画像表示装置としての魅力を充分に発揮していないという問題点があった。
【００１０】
例えば、特許文献２や特許文献３に開示されたようなデジタルカメラを用いて撮影した人物を含む画像データをデジタルフォトフレームに保存し、表示させることができる。また、ズーム表示機能を備えたデジタルフォトフレームも考慮されており、人物が撮影された画像データをズーム表示させることができる。その場合は、表示された画像を確認しながら、ズーム操作しないと人物の顔の部分が表示領域から外れてしまうという問題点があった。特に、上記特許文献１に開示されたデジタルフォトフレームのように表示面とは異なる側面側や反対側に操作キーを設けた装置においては、表示画面を確認しながらズーム操作するには困難が伴うという問題点があった。
【００１１】
本発明は、そのような問題点に鑑み、画像表示の制御、演出に工夫を加えて、画像表示装置としての魅力を高めることを目的とするものである。
【課題を解決するための手段】
【００１２】
前記課題を解決するために、本願の請求項１にかかる発明は、画像データを表示する表示手段と、画像の中から人物の顔を検出する顔検出手段と、該顔検出手段が顔を検出したとき、検出した顔を中心として画像全体をズームアップしながら前記表示手段に画像を表示する表示制御手段と、を備えたことを特徴とする。
【００１３】
また、本願の請求項２にかかる発明は、請求項１にかかる画像表示装置において、前記表示制御手段は、画像をズームアップしている際に、顔の輪郭部分が表示画面のフレームに達したとき、画像のズームアップを停止することを特徴とする。
【００１４】
また、本願の請求項３にかかる発明は、請求項１または請求項２にかかる画像表示装置において、画像データを表示することが可能な表示手段が画像表示装置の前面側に設けられ、前記画像データに対する各種操作が可能な複数の操作ボタンからなる操作手段が画像表示装置の背面側または側面側に設けられたことを特徴とする。
【発明の効果】
【００１５】
本発明の画像表示装置は、次のような効果を奏する。請求項１にかかる発明においては、画像データを表示する表示手段と、画像の中から人物の顔を検出する顔検出手段と、該顔検出手段が顔を検出したとき、検出した顔を中心として画像全体をズームアップしながら前記表示手段に画像を表示する表示制御手段と、を含む制御手段と、を備えた。
【００１６】
このような構成によれば、画像の中から人物の顔を検出し、検出した顔を中心として画像全体をズームアップしながら表示部に画像を表示するようにしたので、画像に写っている人物の顔を強調することができ、画像表示装置としての魅力を高めることができるようになる。
【００１７】
また、請求項２にかかる発明においては、請求項１にかかる画像表示装置において、画像をズームアップしている際に、顔の輪郭部分が表示画面のフレームに達したとき、画像のズームアップを停止する。
【００１８】
このような構成によれば、ズームアップをしすぎて顔の一部が欠けてしまうようなことを防止できるようになる。
【００１９】
また、請求項３にかかる発明においては、請求項１または請求項２にかかる画像表示装置において、画像データを表示することが可能な表示手段が画像表示装置の前面側に設けられ、前記画像データに対する各種操作が可能な複数の操作ボタンからなる操作手段が画像表示装置の背面側または側面側に設けられる。
【００２０】
このような構成によれば、背面または側面に設けられた操作ボタンを操作してズームアップしてもズームアップをしすぎて顔の一部が欠けてしまうようなことを防止できるようになる。
【図面の簡単な説明】
【００２１】
【図１】本発明の実施例に係るデジタルフォトフレームの一例を示す斜視図である。
【図２】本発明の実施例に係るデジタルフォトフレームの構成を示すブロック図である。
【図３】本発明の実施例に係るデジタルフォトフレームにおける画像表示処理を説明するための図である。
【図４】本発明の表示処理を示すフローチャートである。
【発明を実施するための形態】
【００２２】
以下、本発明の具体例を実施例及び図面を用いて詳細に説明する。但し、以下に示す実施例は、本発明の技術思想を具体化するためのデジタルフォトフレームを例示するものであって、本発明をこのデジタルフォトフレームに特定することを意図するものではなく、特許請求の範囲に含まれるその他の実施形態の画像表示装置にも等しく適用し得るものである。
【実施例】
【００２３】
図１は、本発明の実施例に係るデジタルフォトフレームの一例を示す斜視図、図２は、本発明の実施例に係るデジタルフォトフレームの構成を示すブロック図である。
【００２４】
本実施例に係るデジタルフォトフレーム１０は、図１で示すように、矩形で扁平状の筐体の前面に設けられた表示部１１と、筐体の背面中央に設けられたスタンド２０とからなる。そして、筐体前面の下隅には、電源スイッチ２１が設けられている。
【００２５】
デジタルフォトフレーム１０は、図２に示すように、表示部１１、操作部１２、内蔵メモリ１３、外部メモリインターフェース１４、フォトセンサー１５、電源制御部１６、データ通信モジュール１７、音声出力部１８、制御部１９などを備えて構成されている。なお、表示部１１は本発明の表示手段に相当し、制御部１９は本発明の顔検出手段及び表示制御手段の機能を持つ。
【００２６】
表示部１１は、デジタルフォトフレーム１０の前面側に設けられた液晶ディスプレイから構成されるＬＣＤモジュール１１−１と、その裏面に設けられたＬＥＤ１１−２およびＬＥＤバックライトコントローラ１１−３とから構成され、制御部１９の制御により、メモリカードなどから読み出したデジタル画像データ（例えば、ＪＰＥＧファイル）がＬＣＤモジュール１１−１に再生表示される他、本発明では、後述するように、制御部１９によってＬＥＤバックライトコントローラ１１−３を制御することにより、操作部１２の操作ボタンに対応するボタン配置のイメージがＬＥＤ１１−２によって重畳表示される。
【００２７】
操作部１２は、デジタルフォトフレーム１０の背面側に設けられた複数の操作ボタン１２−１と、これらの操作ボタンにユーザが接触したことを検知するためのセンサ１２−２と、から構成される。ここで、ユーザがこれらの操作ボタンに接触したことを検知するためのセンサには、例えば、静電容量式あるいは感圧式のタッチセンサなどを用いることができる。
【００２８】
また、複数の操作ボタンは、表示部１１にメニュー画面を表示させるためのメニューボタン、スライドショー再生を止めるための画面消去ボタン、通常のスライドショー再生に戻すための戻るボタン、設定項目を選んだり画像データを切り換えるために次の画像データを再生したりするための次へボタン、設定項目を選んだり１つ前の画像データを再生したりするための前へボタン、設定項目を選んだり画像データを回転させたりするための回転ボタン、設定項目を選んだり表示部１１の明るさを調節したりするための明るさボタン、スライドショー再生を一時停止させたり選択した設定を確定させたりするための決定ボタンなどから構成されている。
【００２９】
内蔵メモリ１３は、後述する制御部１９がプログラム実行中に一時的に保持する必要の生じたデータが保存されるワーク用メモリであるＳＤＲＡＭ１３−１や、メモリカードなどから読み出された音楽データ（例えば、ＭＰ３形式の音楽ファイル）が保存されるユーザ領域などからなるＮＡＮＤ型フラッシュメモリ１３−２などから構成されている。音楽データは、後述するように、ＳＤメモリカードなどの可搬型記憶媒体からコピーすることによって得てもよいし、ＷＬＡＮを介して所定のサーバからダウンロードすることによって得てもよい。
【００３０】
外部メモリインターフェース１４は、ＳＤメモリカードやメモリースティックを差し込むためのスロット２４を備え、差し込まれたメモリカードの読み書きを行うＳＤアダプタ１４−１、差し込まれたメモリースティックの読み書きを行うＭＳアダプタ１４−２や、ＵＳＢメモリを差し込むためのポートを備えたＵＳＢコネクタ１４−３などから構成されている。
【００３１】
フォトセンサー１５は、表示部１１の輝度や明るさを自動調節するために周囲の明るさを検知するためのものであり、検知された制御信号は制御部１９へ出力される。このフォトセンサー１５は、デジタルフォトフレーム１０の前面側に設けることがより望ましい。
【００３２】
電源制御部１６は、デジタルフォトフレーム１０内の各部に対して電力の供給を行う。供給される電力は、電源アダプタを介して外部電源から得るようにしてもよく、あるいはデジタルフォトフレーム１０内に設けた充電地（図示せず）などから得るようにしてもよい。
【００３３】
データ通信モジュール１７は、無線通信でデータの送受信を行うＷＬＡＮモジュール１７−１や、赤外線を利用して近距離データ通信を行うＳＩＲ（Ｓｅｒｉａｌ  ＩｒＤＡ）モジュール１７−２などから構成されている。音声出力部１８は、メモリカードなどから読み出された音楽データを再生して出力するために、Ｄ／Ａコンバータ（ＤＡＣ）、アンプ、スピーカーなどから構成されている。
【００３４】
制御部１９は、マイクロプロセッサを主たる構成要素とし、一般的なコンピュータ装置と同様に各種クロックパルスを生成して、ＮＡＮＤ型フラッシュメモリ１３−２に格納されている制御プログラムに基づき各部動作を制御する。また、ＳＤＲＡＭ１３−１には、プログラム実行中に一時的に保持する必要の生じたデータを保存する。
【００３５】
また、制御部１９は、操作部１２からの操作入力に応じて、スロット（図示せず）に差し込まれたＳＤメモリカードやメモリースティックに画像データとして記録されているＪＰＥＧ形式の画像ファイル（ＪＰＥＧファイル）をＮＡＮＤ型フラッシュメモリ１３−２のユーザ領域へコピーして保存したり、ＳＤメモリカードなどの画像データやＮＡＮＤ型フラッシュメモリ１３−２に保存されている画像データを表示部１１にスライドショー再生させたりする。
【００３６】
さらに、制御部１９は、操作部１２からの操作入力に応じてスロットに差し込まれたＳＤメモリカードやメモリースティックに音楽データとして記録されているＭＰ３形式の音楽ファイル（ＭＰ３ファイル）をＮＡＮＤ型フラッシュメモリ１３−２のユーザ領域へコピーして保存したり、ＳＤメモリカードなどの音楽データやＮＡＮＤ型フラッシュメモリ１３−２に保存されている音楽データを再生させて音声出力部１８から出力させたりする。
【００３７】
このようなデジタルフォトフレーム１０において、本発明では、スロットに差し込まれたＳＤメモリカードやメモリースティック等から画像データを読み込んで、表示部１１に画像を表示する際に、画像の中から人物の顔を検出する顔検出手段を設け、該顔検出手段が顔を検出したとき、検出した顔を中心として画像全体をズームアップしながら表示するようにした。
【００３８】
図３は、本発明の実施例に係るデジタルフォトフレームにおける画像表示処理を説明するための図である。例えば、図３（Ａ）に示すような画像を読み込んだとき、顔検出手段により、画像中の人物の顔を検出し、その顔領域Ｒを確定する。なお、顔検出手段としては、公知の顔検出手段を適宜採用することができる。顔領域Ｒを確定したら、図３（Ｂ）に示すように、顔領域Ｒの中心座標（ｘ，ｙ）を求める。
【００３９】
そして、顔領域Ｒの中心座標（ｘ，ｙ）を中心として画像全体をズームアップしていく。そのようにしてズームアップを続けていくと、図３（Ｃ）に示すように、顔領域Ｒも拡大していき、何れかの辺が表示部１１の画面フレームまで達することになる。その後、さらにズームアップを続けると、顔が欠けた状態になってしまうので、それを避けるため、顔領域Ｒの何れかの辺が表示部１１の画面フレームに接した時点で、ズームアップを停止させることが望ましい。
【００４０】
次に、図４に示すフローチャートを参照しながら、本発明の表示処理を説明する。まず、１枚分の画像データを読み込み（ステップＳ１）、読み込んだ画像全体を表示部１１の画面フレームに表示する（ステップＳ２）。その後、読み込んだ画像の中から、人物の顔を検出し、その顔領域Ｒを確定する（ステップＳ３）。そのように顔領域Ｒを確定したら、顔領域Ｒの中心座標（ｘ，ｙ）を求める（ステップＳ４）。
【００４１】
そして、顔領域Ｒの中心座標（ｘ，ｙ）を中心として画像全体をズームアップしていき（ステップＳ５）、ズームアップするにつれて拡大していく顔領域Ｒの何れかの辺が表示部１１の画面フレームに接したか否かを判別する（ステップＳ６）。画面フレームに接しなければズームアップを続けるが、画面フレームに接したら、その時点でズームアップを停止する（ステップＳ７）。
【００４２】
そして、次の画像表示のための切り換えが指令されたか否かを判別し（ステップＳ８）、切り換えが指令されたら、ステップＳ１に戻って次の画像データを読み込んで、同様な処理を繰り返す。
【００４３】
以上、説明したように本発明にかかる画像表示装置によれば、画像表示の制御、演出に工夫を加えて、画像表示装置としての魅力を高めることができるようになる。特に、人物が撮影された画像データをズーム表示させた際に、人物の顔の部分が欠けて表示されることがなくなる。
【符号の説明】
【００４４】
１０・・・・デジタルフォトフレーム
１１・・・・表示部
１１−１・・・・ＬＣＤモジュール
１１−２・・・・ＬＥＤ
１１−３・・・・ＬＥＤバックライトコントローラ
１２・・・・操作部
１２−１・・・・操作ボタン
１２−２・・・・センサ
１３・・・・内蔵メモリ
１３−１・・・・ＳＤＲＡＭ
１３−２・・・・ＮＡＮＤ型フラッシュメモリ
１４・・・・外部メモリインターフェース
１４−１・・・・ＳＤアダプタ
１４−２・・・・ＭＳアダプタ
１４−３・・・・ＵＳＢコネクタ
１５・・・・フォトセンサー
１６・・・・電源制御部
１７・・・・データ通信モジュール
１７−１・・・・ＷＬＡＮモジュール
１７−２・・・・ＳＩＲモジュール
１８・・・・音声出力部
１９・・・・制御部
【図１】
2010197710.tif 000003
【図２】
2010197710.tif 000004
【図３】
2010197710.tif 000005
【図４】
2010197710.tif 000006